(57)【要約】【課題】カメラによる撮像データの利用を促進することができるＬＥＤ照明システムを提供すること。【解決手段】無線通信部２４、および、静止画あるいは動画を撮像する撮像部２１を含む付加機能部２０を備え、かつ、光源となるＬＥＤを光透過部分を含む直管状カバー１２ａの内部に設けたＬＥＤ照明装置１０と、ＬＥＤ照明装置１と無線通信部２４を介して無線通信可能な携帯端４０末と、を有するＬＥＤ照明装置システム１であって、無線通信部２４は、無線通信を可能とするものであり、携帯端末４０は、無線通信部２４との通信可能エリア内に配置された場合、周囲にカメラがあることを知らせる情報を画面４１に表示する。【選択図】図１
2017010725.tif 000002
【特許請求の範囲】
【請求項１】
無線通信部、および、静止画あるいは動画を撮像する撮像部を含む付加機能部を備え、かつ、光源となるＬＥＤを光透過部分を含む直管状カバーの内部に設けたＬＥＤ照明装置と、該ＬＥＤ照明装置と前記無線通信部を介して無線通信可能な携帯端末と、を有するＬＥＤ照明装置システムであって、
前記無線通信部は、
無線通信を可能とするものであり、
前記携帯端末は、
前記無線通信部との通信可能エリア内に配置された場合、周囲にカメラがあることを知らせる情報を画面に表示する
ことを特徴とするＬＥＤ照明システム。
【請求項２】
前記付加機能部は、
音データを取得するマイク部
を有することを特徴とする請求項１に記載のＬＥＤ照明システム。
【請求項３】
前記付加機能部は、
前記直管状カバーに一体的に設ける
ことを特徴とする請求項１または２に記載のＬＥＤ照明システム。
【請求項４】
前記付加機能部は、
前記直管状カバーを保持する側に設ける
ことを特徴とする請求項１または２に記載のＬＥＤ照明システム。
【請求項５】
前記付加機能部は、
前記撮像部によって撮像した静止画データ、あるいは、動画データを保存する記憶部と、
前記無線通信部との通信可能エリア内の前記携帯端末から前記記憶部に保存した前記画像データ、あるいは、前記動画データの送信要求信号を受信した場合、前記画像データ、あるいは、前記動画データを前記携帯端末に送信するように制御するデータ送信制御部と、
を有することを特徴とする請求項１または２に記載のＬＥＤ照明システム。
【請求項６】
当該ＬＥＤ照明システムへの顧客別のアクセス権に関する顧客登録情報を管理する情報管理サーバーを有し、
前記ＬＥＤ照明装置は、
前記情報管理サーバーの前記顧客登録情報に基づいて、前記画像データ、あるいは、前記動画データを登録した顧客の前記携帯端末にのみ送信可能とする
ことを特徴とする請求項５に記載のＬＥＤ照明システム。
【請求項７】
前記ＬＥＤ照明装置の外観を模して前記撮像部を備えているように見せかけた照明装置であるダミーカメラ搭載ＬＥＤ照明装置
を有することを特徴とする請求項１または２に記載のＬＥＤ照明システム。
【発明の詳細な説明】
【技術分野】
【０００１】
本発明は、静止画あるいは動画を撮像する撮像部を含むＬＥＤ照明装置と、ＬＥＤ照明装置と無線通信部を介して無線通信可能な携帯端末と、を有するＬＥＤ照明システムに関する。
【背景技術】
【０００２】
従来、直管型の蛍光管を有する蛍光灯は、省電力化の流れから光源となるＬＥＤ（Ｌｉｇｈｔ  Ｅｍｉｔｔｉｎｇ  Ｄｉｏｄｅ）を光透過部分を含む直管状カバーの内部に設けたＬＥＤ照明装置に置き換えるようになってきている。
このようなＬＥＤ照明装置は、電源を交流電源から直流電源に変換するとともに電気配線を変更することによってＬＥＤへの電源供給を可能にしている。
しかも、直流電源から給電可能となったことにより、ＬＥＤ照明装置は、センサー、カメラ等の機能部品を容易に組み込むことができるようになった
【０００３】
例えば、特許文献１にはカメラを組み込んだＬＥＤ照明装置が記載されている。
このようなＬＥＤ照明装置は、夜間であっても照明の灯りを利用して撮像することができる。
【先行技術文献】
【特許文献】
【０００４】
【特許文献１】特開２０１０−１１４０５５号公報
【発明の概要】
【発明が解決しようとする課題】
【０００５】
しかしながら、特許文献１に記載されたＬＥＤ照明装置は、照明装置に組み込むために小型カメラを用いており、しかも、その小型カメラを確認するためには、照明光を目視しなければならないため、ＬＥＤ照明装置にカメラが組み込まれていることを認識し難く、結果的に、カメラの撮像データの効果的な利用を妨げているという問題があった。
【０００６】
本発明は、上記に鑑みてなされたものであって、カメラによる撮像データの利用を促進することができるＬＥＤ照明システムを提供することを目的とする。
【課題を解決するための手段】
【０００７】
上述した課題を解決し、目的を達成するために、本発明のＬＥＤ照明システムは、無線通信部、および、静止画あるいは動画を撮像する撮像部を含む付加機能部を備え、かつ、光源となるＬＥＤを光透過部分を含む直管状カバーの内部に設けたＬＥＤ照明装置と、該ＬＥＤ照明装置と前記無線通信部を介して無線通信可能な携帯端末と、を有するＬＥＤ照明装置システムであって、前記無線通信部は、無線通信を可能とするものであり、前記携帯端末は、前記無線通信部との通信可能エリア内に配置された場合、周囲にカメラがあることを知らせる情報を画面に表示することを特徴とする。
【０００８】
また、本発明に係るＬＥＤ照明システムは、上記の発明において、前記付加機能部は、音データを取得するマイク部を有することを特徴とする。
【０００９】
また、本発明に係るＬＥＤ照明システムは、上記の発明において、前記付加機能部は、前記直管状カバーに一体的に設けることを特徴とする。
【００１０】
また、本発明に係るＬＥＤ照明システムは、上記の発明において、前記付加機能部は、前記直管状カバーを保持する側に設けることを特徴とする。
【００１１】
また、本発明に係るＬＥＤ照明システムは、上記の発明において、前記付加機能部は、前記撮像部によって撮像した静止画データ、あるいは、動画データを保存する記憶部と、前記無線通信部との通信可能エリア内の前記携帯端末から前記記憶部に保存した前記画像データ、あるいは、前記動画データの送信要求信号を受信した場合、前記画像データ、あるいは、前記動画データを前記携帯端末に送信するように制御するデータ送信制御部と、を有することを特徴とする。
【００１２】
また、本発明に係るＬＥＤ照明システムは、上記の発明において、当該ＬＥＤ照明システムへの顧客別のアクセス権に関する顧客登録情報を管理する情報管理サーバーを有し、前記ＬＥＤ照明装置は、前記情報管理サーバーの前記顧客登録情報に基づいて、前記画像データ、あるいは、前記動画データを登録した顧客の前記携帯端末にのみ送信可能とすることを特徴とする。
【００１３】
また、本発明に係るＬＥＤ照明システムは、上記の発明において、前記ＬＥＤ照明装置の外観を模して前記撮像部を備えているように見せかけた照明装置であるダミーカメラ搭載ＬＥＤ照明装置を有することを特徴とする。
【発明の効果】
【００１４】
本発明に係るＬＥＤ照明システムは、前記携帯端末が前記無線通信部との通信可能エリア内、すなわち、前記撮像部と近距離で配置された場合、前記携帯端末の画面に周囲にカメラがあることを知らせる情報が表示されるので、前記携帯端末の使用者は、周辺にカメラがあることを認識することができ、結果的に、カメラによる撮像データの利用を促進することができる。
【図面の簡単な説明】
【００１５】
【図１】図１は、（ａ）が本発明の実施例１に係るＬＥＤ照明システムの構成を模式的に示した図であり、（ｂ）が（ａ）に示したＬＥＤ照明装置の詳細構成を模式的に示した図である。
【図２】図２は、図１に示したＬＥＤ照明装置の斜視図である。
【図３】図３は、ＬＥＤ照明装置の付加機能部周辺を断面視してその構成を模式的に示した図である。
【図４】図４は、（ａ）が直管状着脱自在部の斜視図であり、（ｂ）が（ａ）に示した直管状着脱自在部の付加機能部周辺を拡大した図である。
【図５】図５は、ＬＥＤ照明システムが行う撮像データの利用促進処理の流れを示したフローチャートである。
【図６】図６は、（ａ）が周辺にカメラがあることを知らせる情報の画面表示の一例を示した図であり、（ｂ）が（ａ）の画面表示を携帯端末の使用者が確認している様子を示した図である。
【図７】図７は、（ａ）がカメラ選択画面の画面表示の一例を示した図であり、（ｂ）が再生データ選択画面の画面表示の一例を示した図である。
【図８】図８は、２つの撮像部が取得した動画データを携帯端末の画面に再生している様子を説明するための図である。
【図９】図９は、（ａ）が付加機能部を覆うように設けた保持部に撮像部のレンズおよびマイク部を露出する開口を形成したＬＥＤ照明装置の斜視図であり、（ｂ）が保持部に覆われない位置に付加機能部を調整して設けたＬＥＤ照明装置の斜視図であり、（ｃ）が外装カバーに撮像部のレンズおよびマイク部を露出する開口を形成したＬＥＤ照明装置の斜視図である。
【図１０】図１０は、（ａ）が変形例２のＬＥＤ照明システムのＬＥＤ照明装置の詳細構成を模式的に示した図であり、（ｂ）がＬＥＤ照明装置の付加機能部周辺を断面視してその構成を模式的に示した図である。
【図１１】図１１は、（ａ）が変形例３のＬＥＤ照明装置の斜視図であり、（ｂ）が変形例３のＬＥＤ照明装置の詳細構成を模式的に示した図である。
【図１２】図１２は、本発明の実施例２に係るＬＥＤ照明システムの構成を模式的に示した図である。
【図１３】図１３は、ＬＥＤ照明システムが行う撮像データの利用促進処理の流れを示したフローチャートである。
【図１４】図１４は、（ａ）がパスワード入力画面の一例を示したものであり、（ｂ）がパスワードの再登録を促す画面の一例を示したものである。
【図１５】図１５は、本発明の実施例２に係るＬＥＤ照明システムの変形例のＬＥＤ照明システムの構成を模式的に示した図である。
【図１６】図１６は、ダミーカメラ搭載ＬＥＤ照明装置の直管状着脱自在部の斜視図であり、（ｂ）が（ａ）に示した直管状着脱自在部の付加機能部を模した部分を拡大した図である。
【発明を実施するための形態】
【００１６】
以下、図面を参照して、本発明に係るＬＥＤ照明システムの好適な実施例を詳細に説明する。
【実施例１】
【００１７】
図１は、（ａ）が本発明の実施例１に係るＬＥＤ照明システム１の構成を模式的に示した図であり、（ｂ）が（ａ）に示したＬＥＤ照明装置１０の詳細構成を模式的に示した図である。図２は、図１に示したＬＥＤ照明装置１０の斜視図である。図３は、ＬＥＤ照明装置１０の付加機能部２０周辺を断面視してその構成を模式的に示した図である。図４は、（ａ）が直管状着脱自在部１１の斜視図であり、（ｂ）が（ａ）に示した直管状着脱自在部１１の付加機能部２０周辺を拡大した図である。
本発明の実施例に係るＬＥＤ照明システム１は、例えば、電車内に設置されている直管状蛍光管を有する蛍光灯に置き換えてＬＥＤを光源とするＬＥＤ照明装置１０を含むものである。
【００１８】
このＬＥＤ照明システム１は、無線通信部２４および静止画あるいは動画を撮像する撮像部２１を含む付加機能部２０を備え、かつ、光源となるＬＥＤを光透過部分を含む直管状カバー１２ａの内部に設けたＬＥＤ照明装置１０と、ＬＥＤ照明装置１０と無線通信部２４を介して無線通信可能な携帯端末４０と、を有する。
【００１９】
まず、ＬＥＤ照明装置１０について説明する。
ＬＥＤ照明装置１０は、蛍光管の標準規格に対応した直管状部分であり、かつ、保持部３０に着脱自在に設けた直管状着脱自在部１１と、直管状着脱自在部１１の両端を保持する一対の保持部３０と、内面に反射材等を貼り付けることによってＬＥＤから出射される光を照明エリアに向けて反射するとともに、不図示の直流電源等を収容するフード部１４と、を有する。
【００２０】
直管状着脱自在部１１は、図１（ｂ）に示すように、光源となる不図示のＬＥＤを光透過部分を含む直管状カバー１２ａの内部に設けた直管状照明部１２と、直管状着脱自在部１１の一端側に直管状照明部１２と一体的に設けた付加機能部２０と、一対の保持部３０によって保持される部分となる一対の被保持部１３と、を有する。
【００２１】
直管状照明部１２は、長手方向に沿って複数のＬＥＤを不図示の回路基板上に配置し、ＬＥＤから出射した光を直管状カバー１２ａから外部に出射する部分である。
【００２２】
直管状カバー１２ａは、光透過性の円筒状部材を用いているが、ＬＥＤの光を外部に出射する部分のみ光透過性の部材を用いるようにしても構わない。
【００２３】
付加機能部２０は、静止画データ、あるいは、動画データ（以下、静止画データ、あるいは、動画データを単に「撮像データ」という。）を取得する撮像部２１と、音声データを取得するマイク部２２と、ランプ部２８と、記憶部２３と、携帯端末４０との無線通信を可能にする無線通信部２４と、ＬＥＤ照明装置１０の各駆動部を制御する制御部２５と、撮像部２１、マイク部２２、記憶部２３、無線通信部２４、および、制御部２５を内部に収容する直管状のカバー部２６と、を有する。
【００２４】
撮像部２１は、カメラ機能をなす部分であり、レンズ２１ａと、例えば、ＣＭＯＳイメージセンサによって実現するイメージセンサ２１ｂと、を有する。
【００２５】
ランプ部２８は、例えば、ＬＥＤによって実現し、撮像部２１の駆動と連動して発光するものでる。すなわち、ＬＥＤ照明装置１０は、このランプ部２８が発光することによって、撮像部２１が録画中であることを周知させるようになっている。
【００２６】
記憶部２３は、例えば、ＲОＭ（Ｒｅａｄ  Ｏｎｌｙ  Ｍｅｍｏｒｙ）、および、ＲＡＭ（Ｒａｎｄｏｍ  Ａｃｃｅｓｓ  Ｍｅｍｏｒｙ）を備えることによって実現し、撮像部２１によって撮像した撮像データ、あるいは、動画データにマイク部２２によって取得した音データを合わせて保存する。
【００２７】
無線通信部２４は、近距離無線通信の規格であるＢｌｕｅｔｏｏｔｈ（登録商標）、あるいは、無線ＬＡＮ、あるいは、Ｂｌｕｅｔｏｏｔｈ（登録商標）  Ｌｏｗ  Ｅｎｅｒｇｙ等によって実現する。
【００２８】
制御部２５は、プリント配線板等の回路基板によって実現する。この制御部２５は、無線通信部２４との通信可能エリアＡｒ内の携帯端末４０から記憶部２３に保存した撮像データの送信要求信号を受信した場合、撮像データを携帯端末４０に送信するように制御するデータ送信制御部２５ａを有する。
【００２９】
カバー部２６は、撮像部２１のレンズ２１ａに対向する位置、および、マイク部２２に対向する位置に開口２６ａ、２６ｂを形成し、その外表面にはレンズ２１ａを保護するレンズカバー２７が貼付されている。
【００３０】
一対の被保持部１３は、直管状着脱自在部１１の両端面から外方に突出したピン状部分であり、保持部３０に形成した不図示の溝に嵌め込むことによって直管状着脱自在部１１の両端部が保持部３０によって保持されるようになっている。
なお、各被保持部１３は、不図示の直流電源から電力を供給するための端子部分として機能するようにしてもよい。
【００３１】
一対の保持部３０は、上述したように直管状着脱自在部１１を保持する部分である。
この保持部３０は、直管状の蛍光管の給電ソケットを代用することで、ＬＥＤ照明装置１０の設置コストを削減することができる。
また、保持部３０は、直流電源の給電ソケットとして用いてもよいし、給電機能を有さない直管状着脱自在部１１の単なる保持部材として用いるだけでもよい。
【００３２】
このようなＬＥＤ照明装置１０は、直管状着脱自在部１１の両端部を一対の保持部３０によって保持することによって、ＬＥＤを光源とした照明装置として機能するとともに、ＬＥＤと同じ直流電源を利用して付加機能部２０の撮像部２１等の駆動系を駆動することができるようになっている。
【００３３】
次に、携帯端末４０について説明する。
携帯端末４０は、例えば、スマートフォン、あるいは、ＰＤＡ（Ｐｅｓｏｎａｌ  Ｄａｔａ  Ａｓｓｉｓｔａｎｃｅ）によって実現する。
【００３４】
この携帯端末４０は、ＬＥＤ照明装置１０の無線通信部２４との通信可能エリアＡｒ内に配置された場合、ＬＥＤ照明装置１０との相互無線通信とそれに関わる操作を画面上で行うことができるようにする専用アプリケーションプログラムをダウンロードしている。
この専用アプリケーションプログラムは、インターネット上に有料、または、無料で公開することによって大量の携帯端末４０にダウンロードすることができるようにしている。
なお、専用アプリケーションプログラムとは、ＬＥＤ照明装置１０との相互通信を可能とし、ＬＥＤ照明装置１０に関わる情報の画面への出力表示、あるいは、撮像データの取得、閲覧のための入力操作画面を表示するためのアプリケーションプログラムである。
【００３５】
次に、図５−図８を用いて本発明の実施例１に係るＬＥＤ照明システム１が行う撮像データの利用促進処理の流れについて説明する。
図５は、ＬＥＤ照明システム１が行う撮像データの利用促進処理の流れを示したフローチャートである。図６は、（ａ）が周辺にカメラがあることを知らせる情報の画面表示の一例を示した図であり、（ｂ）が（ａ）の画面表示を携帯端末４０の使用者が確認している様子を示した図である。図７は、（ａ）がカメラ選択画面Ｄ１の画面表示の一例を示した図であり、（ｂ）が再生データ選択画面Ｄ２の画面表示の一例を示した図である。図８は、２つの撮像部２１が取得した動画データを携帯端末４０の画面に再生している様子を説明するための図である。
なお、この処理を行う前に、携帯端末４０の使用者は、例えば、インターネットを介して、上述した専用アプリケーションプログラムをダウンロードする。
また、この説明では複数のＬＥＤ照明装置１０のうち一つのＬＥＤ照明装置１０の処理を代表して示している。
【００３６】
まず、携帯端末４０をＬＥＤ照明装置１０との相互通信モードをオンにする（ステップＳ２０１）。
より具体的には、携帯端末４０の使用者が、携帯端末４０にダウンロードされた専用アプリケーションプログラムを起動することによって、携帯端末４０をＬＥＤ照明装置１０との相互通信可能な状態に設定する。
【００３７】
その後、携帯端末４０は、ＬＥＤ照明装置１０の無線通信部２４からの信号を受信したか否かを判断する（ステップＳ２０２）。
より具体的には、携帯端末４０が無線通信部２４との通信可能エリアＡｒ内に配置された場合、携帯端末４０は、ＬＥＤ照明装置１０の無線通信部２４からの信号を受信したと判断し（ステップＳ２０２：Ｙｅｓ）、周辺にカメラがあることを知らせる情報を画面４１に表示する（ステップＳ２０３）。
ここで携帯端末４０に表示する画面表示の一例としては、図６（ａ）に示すように、「周辺にカメラがあります」という文字情報Ｄ０を表示することである。
なお、ここでの表示は、周辺にカメラがあることを携帯端末４０の使用者に認識させることができればよいので、例えば、カメラの図記号を表示するようにしても構わない。
この表示画面によって、携帯端末４０の使用者は、周辺にカメラが設置してあることを認識することができる。
これにより、携帯端末４０の使用者は、自分の周辺にある撮像部２１が取得した撮像データを積極的に利用することができる。
また、窃盗などの犯罪をたくらんでいる携帯端末４０の使用者がいる場合、その者の周辺にカメラがあることを認識させることによって、そのたくらみをあきらめさせることができる。
なお、携帯端末４０への画面表示とともに、アラーム音、あるいは、バイブレーションを付加することによってよりカメラの設置をより認識し易くすることもできる。
また、携帯端末４０の使用者が現在起動中のアプリケーションの画面に「周辺にカメラがあります」という文字をポップアップ表示するようにしてもよい。
【００３８】
一方、携帯端末４０は、ＬＥＤ照明装置１０の無線通信部２４からの信号を受信しない場合（ステップＳ２０２：Ｎｏ）、ステップＳ２０２の判断処理を繰り返す。
【００３９】
携帯端末４０は、ステップＳ２０３で周辺にカメラがあることを知らせる情報を表示した後、カメラ選択画面Ｄ１を表示する（ステップＳ２０４）。
カメラ選択画面Ｄ１とは、より具体的には、携帯端末４０と通信可能な複数のＬＥＤ照明装置１０を識別可能、かつ、その通信可能な複数のＬＥＤ照明装置１０の中から撮像データを取得したいＬＥＤ照明装置１０の撮像部２１を選択するための入力操作画面である。
カメラ選択画面Ｄ１の一例としては、図７（ａ）に示すように、通信可能なＬＥＤ照明装置１０のそれぞれの撮像部２１を、「カメラ１」、および「カメラ２」とし、画面４１上にそれぞれに対応した２つの釦Ｂ１、Ｂ２を表示している。
【００４０】
その後、携帯端末４０は、カメラ選択情報をＬＥＤ照明装置１０の無線通信部２４に送信する（ステップＳ２０５）。
より具体的には、携帯端末４０の使用者がステップＳ２０４の表示画面（図７（ａ）参照）の「カメラ１」、および「カメラ２」の釦Ｂ１、Ｂ２を押圧し、その後、「送信」釦Ｂ３を押圧することによって、カメラ選択情報が、対応するＬＥＤ照明装置１０のそれぞれの無線通信部２４に送信される。
【００４１】
ここで、ＬＥＤ照明装置１０は、選択されたカメラに対応する撮像部２１の撮像データをカメラ識別情報とともに携帯端末４０に送信する（ステップＳ１０１）。
【００４２】
一方、携帯端末４０は、カメラ毎に分別された撮像データを取得し（ステップＳ２０６）、ステップＳ２０７に処理を移行する。
ステップＳ２０７で携帯端末４０は、再生データ選択画面を表示する。
ここで、再生データ選択画面Ｄ２とは、カメラ毎に分別して取得された撮像データの中から所望の撮像データを選択して再生することができる操作画面である。
再生データ選択画面Ｄ２の一例としては、図７（ｂ）に示すように、カメラ毎に分別して取得された撮像データ（ここでは、動画データとする。）をそれぞれ、「カメラ１動画」、および「カメラ２動画」とし、画面４１上にそれぞれに対応した２つの釦Ｂ４、Ｂ５で表示する。
これにより、携帯端末の使用者は、カメラ１動画、あるいは、カメラ２動画を選択するように釦Ｂ４、Ｂ５の押圧操作を行うと、図８に示すように、それぞれの釦Ｂ４、Ｂ５に対応した撮像部２１の動画データが再生される。
また、携帯端末４０が複数の撮像部２１の撮像データを取得することによって、異なる位置の撮像部２１から撮像した撮像データを取得することができる。これにより、図８に示すように、例えば、電車内での盗難等の犯罪事件を検証する場合に、複数の方向から現場の状況を確認することができる。
【００４３】
本発明の実施例１に係るＬＥＤ照明システム１は、携帯端末４０が無線通信部２４との通信可能エリアＡｒ内、すなわち、撮像部２１と近距離で配置された場合、携帯端末４０の画面４１に周囲にカメラがあることを知らせる情報が表示されるので、携帯端末４０の使用者は、周辺にカメラがあることを認識することができ、結果的に、カメラによる撮像データの利用を促進することができる。
【００４４】
また、本発明の実施例１に係るＬＥＤ照明システム１は、付加機能部２０が音データを取得するマイク部２２を有するので、撮像部２１によって取得した動画データに音データを合わせ、携帯端末４０からより有用な情報を得ることができる。
【００４５】
また、本発明の実施例１に係るＬＥＤ照明システム１は、付加機能部２０を直管状カバー１２ａに一体的に設けているので、既存の直管状蛍光管に置き換えて利用されるＬＥＤ照明装置の直管状のＬＥＤ照明部分を保持する保持部の構造を大きく変えることなく付加機能部２０を組み込むことができる。
【００４６】
また、本発明の実施例１に係るＬＥＤ照明システム１は、付加機能部２０が撮像部２１によって撮像した撮像データを保存する記憶部２３と、無線通信部２４との通信可能エリアＡｒ内の携帯端末４０から記憶部２３に保存した撮像データの送信要求信号を受信した場合、撮像データを携帯端末４０に送信するように制御するデータ送信制御部２５ａと、を有するので、周囲にカメラがあることを認識した際、ただちに、ＬＥＤ照明１０から携帯端末４０の画面に画像データ、あるいは、動画データを取得することができるので、カメラによる撮像データの利用を促進することができる。
（変形例１）
【００４７】
次に、図９を用いて本発明の実施例に係るＬＥＤ照明システムの変形例１ついて説明する。
図９は、（ａ）が付加機能部２０を覆うように設けた保持部３１に撮像部２１のレンズ２１ａおよびマイク部２２を露出する開口３１ａを形成したＬＥＤ照明装置５０の斜視図であり、（ｂ）が保持部３１に覆われない位置に付加機能部２０を調整して設けたＬＥＤ照明装置５１の斜視図であり、（ｃ）が外装カバー５２ａに撮像部２１のレンズ２１ａおよびマイク部２２を露出する開口５２ｂを形成したＬＥＤ照明装置５２の斜視図である。
本発明の実施例１に係るＬＥＤ照明システムの変形例１のＬＥＤ照明システム２は、撮像データ、あるいは、音データの取得の邪魔になる部分がある場合に、その部分が邪魔にならないように構造上の工夫をしている点で、実施例１のＬＥＤ照明システム１と異なる。
なお、その他の構成は実施例１と同様であり、実施例１と同一構成部分には同一符号を付している。
【００４８】
図９（ａ）に示すＬＥＤ照明装置５０は、保持部３１が付加機能部２０を覆うように形成されているため、保持部３１に撮像部２１のレンズ２１ａおよびマイク部２２を露出する開口３１を形成することによって、保持部３１が撮像部２１による撮像データの取得、および、マイク部２２による音データの取得の邪魔にならないようになっている。
【００４９】
また、図９（ｂ）に示すＬＥＤ照明装置５１は、保持部３１が直管状着脱自在部１１の端部を直管状着脱自在部１１の長さ方向に沿って長めに覆うようにしているため、保持部３１から露出する位置に撮像部２１のレンズ２１ａおよびマイク部２２を調整して設置することによって、保持部３１が撮像部２１による撮像データの取得、および、マイク部２２による音データの取得の邪魔にならないようになっている。
【００５０】
また、図９（ｃ）に示すＬＥＤ照明装置５２は、外装カバー５２ａが付加機能部２０を覆うように取り付けられているため、外装カバー５２ａに撮像部２１のレンズ２１ａおよびマイク部２２を露出する開口５２ｂを形成することによって、外装カバー５２ａが撮像部２１による撮像データの取得、および、マイク部２２による音データの取得の邪魔にならないようになっている。
（変形例２）
【００５１】
次に、図１０を用いて本発明の実施例に係るＬＥＤ照明システムの変形例２ついて説明する。
図１０は、（ａ）が変形例２のＬＥＤ照明システム３のＬＥＤ照明装置１０の詳細構成を模式的に示した図であり、（ｂ）がＬＥＤ照明装置１０の付加機能部６０周辺を断面視してその構成を模式的に示した図である。
本発明の実施例１に係るＬＥＤ照明システムの変形例１のＬＥＤ照明システム３は、付加機能部６０がマイク部２２を有しない点で、実施例１のＬＥＤ照明システム１と異なる。
なお、その他の構成は実施例１と同様であり、実施例１と同一構成部分には同一符号を付している。
【００５２】
この変形例２のＬＥＤ照明システム３は、音データを取得することはできないものの、静止画データ、あるいは、音無しの動画データを取得することができるので、実施例１とほぼ同様の効果を奏することができる。
（変形例３）
【００５３】
次に、図１１を用いて本発明の実施例１に係るＬＥＤ照明システムの変形例３ついて説明する。
図１１は、（ａ）が変形例３のＬＥＤ照明装置５３の斜視図であり、（ｂ）が変形例３のＬＥＤ照明装置５３の詳細構成を模式的に示した図である。
本発明の実施例１に係るＬＥＤ照明システムの変形例３のＬＥＤ照明システム４は、付加機能部２０を保持部３２に設けている点で、実施例１のＬＥＤ照明システム１と異なる。
なお、その他の構成は実施例１と同様であり、実施例１と同一構成部分には同一符号を付している。
【００５４】
この変形例３のＬＥＤ照明システム４は、保持部３２に付加機能部２０を設けることによって、実施例１のＬＥＤ照明システム１に比べて保持部３２の構造が複雑になるものの、多くのメーカーが製造する直管状のＬＥＤ照明を適用し易くなる。
【００５５】
なお、発明の実施例１のＬＥＤ照明システム１は、携帯端末４０の画面４１に周辺にカメラがあることを知らせる情報を表示し、携帯端末４０に撮像データを取得することによって、画面４１に撮像データを再生するまでの一連の処理を例示したが、その一連の処理の中に、ＬＥＤ照明装置１０に設けた不図示のスピーカーから警報音を発する処理を追加するようにしてもよい。例えば、付加機能部２０に、スピーカーをさらに設け、携帯端末４０の画面４１にそのスピーカーから警報を発するように操作するための不図示の「緊急警報」釦を表示するようする。
なお、「緊急警報」釦は、例えば、周辺にカメラがあることを知らせる情報の表示と同一画面上に表示するとよい。
これにより、携帯端末４０の使用者は、電車内等で犯罪に巻き込まれた場合に、この「緊急警報」釦を押し、ＬＥＤ照明装置１０のスピーカーから警報音を発することによって、犯罪者に対して犯罪行為を抑止させるとともに、犯罪を周囲に報知し救助を求めることができる。
【実施例２】
【００５６】
次に、図１２を用いて本発明の実施例２に係るＬＥＤ照明システム５ついて説明する。
図１２は、本発明の実施例２に係るＬＥＤ照明システム５の構成を模式的に示した図である。
本発明の実施例２に係るＬＥＤ照明システム５は、顧客登録情報１１０ａを管理する情報管理サーバー１００と接続し、顧客登録情報１１０ａをシステムの運用に利用している点で実施例１のＬＥＤ照明システム１と異なる。
なお、その他の構成は実施例１と同様であり、実施例１と同一構成部分には同一符号を付している。
【００５７】
本発明の実施例２に係るＬＥＤ照明システム５は、ＬＥＤ照明装置１０が無線中継器１３０を介してインターネットＮに接続することによって、インターネットＮに接続した情報管理サーバー１００に接続するようになっている。
【００５８】
情報管理サーバー１００は、ＬＥＤ照明システム５への顧客別のアクセス権に関する顧客登録情報１１０ａを管理するサーバーである。
この情報管理サーバー１００は、顧客登録情報１１０ａを記憶する記憶部１１０と、情報管理サーバー１００の顧客登録情報１１０ａに基づいて、登録した顧客の携帯端末４０にのみ撮像データを送信可能にする制御を行う登録管理制御部１２０ａを有する制御部１２０と、を有する。
【００５９】
顧客登録情報１１０ａは、ＬＥＤ照明装置１０の記憶部２３に記憶された撮像データの取得を可能とする権利を与えた顧客の情報である。
より具体的には、顧客登録情報１１０ａは、顧客の氏名、住所、電話番号、職業等の個人情報と、撮像データを取得するためのデータアクセス権となるパスワードとを関連付けた情報である。
【００６０】
顧客は、例えば、実施例１で説明した専用アプリケーションプログラムを携帯端末４０にダウンロードする際に、個人情報を入力することによってパスワードを取得する。
【００６１】
次に、図１３および図１４を用いて本発明の実施例２に係るＬＥＤ照明システム５が行う撮像データの利用促進処理の流れについて説明する。
図１３は、ＬＥＤ照明システム５が行う撮像データの利用促進処理の流れを示したフローチャートである。図１４は、（ａ）がパスワード入力画面Ｄ３の一例を示したものであり、（ｂ）がパスワードの再登録を促す画面Ｄ４の一例を示したものである。
なお、この説明での処理を行う前に、携帯端末４０の使用者は、例えば、インターネットを介して、上述した専用アプリケーションプログラムをダウンロードする。
また、この説明では複数のＬＥＤ照明装置１０のうち一つのＬＥＤ照明装置１０の処理を代表して示している。
また、ステップＳ５０１からステップＳ５０３までの処理は、実施例１に示したステップＳ２０１からステップＳ２０３までの処理と同じため、その説明を省略する。
【００６２】
携帯端末４０は、ステップＳ５０３で画面表示処理を実行した場合、パスワード入力画面Ｄ３を表示する（ステップＳ５０４）。
パスワード入力画面Ｄ３は、例えば、図１４（ａ）に示すように、画面に表示されたテキスト入力欄Ｂ６にパスワードを入力することができるようになっている。
【００６３】
その後、携帯端末４０は、パスワードをＬＥＤ照明装置１０に送信する（ステップＳ５０５）。より具体的には、携帯端末４０の使用者が、例えば、図１４（ａ）に示したパスワード入力画面Ｄ３の「送信」釦Ｂ７を押圧することによって、携帯端末４０からＬＥＤ照明装置１０へのパスワードの送信が実行される。
【００６４】
パスワードの受信待ちのＬＥＤ照明装置１０は、パスワードを受信したか否かを判断する（ステップＳ４０１）。
ＬＥＤ照明装置１０は、パスワードを受信したと判断した場合（ステップＳ４０１：Ｙｅｓ）、そのパスワードを情報管理サーバー１００に送信する（ステップＳ４０２）。
【００６５】
一方、ＬＥＤ照明装置１０は、パスワードを受信していないと判断した場合（ステップＳ４０１：Ｎｏ）、ステップＳ４０１の判断処理を繰り返す。
【００６６】
パスワードの受信待ちの情報管理サーバー１００は、パスワードを受信したか否かを判断する（ステップＳ３０１）。
【００６７】
情報管理サーバー１００は、パスワードを受信したと判断した場合（ステップＳ３０１：Ｙｅｓ）、受信したパスワードが登録されたパスワードか否かを判断する（ステップＳ３０２）。
ここで、パスワードが登録されたパスワードか否かの判断は、登録管理制御部１２０ａが受信したパスワードと、記憶部１１０に記憶された顧客登録情報１１０ａとを比較参照する処理を実行することによって判断する。
【００６８】
一方、情報管理サーバー１００は、パスワードを受信していないと判断した場合（ステップＳ３０１：Ｎｏ）、ステップＳ３０１の判断処理を繰り返す。
【００６９】
ステップＳ３０２で、情報管理サーバー１００は、登録されたパスワードであると判断した場合（ステップＳ３０２：Ｙｅｓ）、データアクセス許可信号をＬＥＤ照明装置１０に送信する（ステップＳ３０３）。
ここで、データアクセス許可信号とは、携帯端末４０がＬＥＤ照明装置１０の記憶部２３に保存された撮像データを取得することを許可するための信号である。
なお、アクセス許可信号は、情報管理サーバー１００にパスワードを送信した全てのＬＥＤ照明装置１０に対して送信する。
【００７０】
一方、ステップＳ３０２で、情報管理サーバー１００は、登録されたパスワードでないと判断した場合（ステップＳ３０２：Ｎｏ）、データアクセス拒否信号をＬＥＤ照明装置１０に送信する（ステップＳ３０４）。
なお、データアクセス拒否信号とは、携帯端末４０がＬＥＤ照明装置１０の記憶部２３に保存された撮像データを取得することを拒絶するための信号である。
【００７１】
ここで、情報管理サーバー１００からのデータアクセスに関する信号待ち状態にあるＬＥＤ照明装置１０は、データアクセス許可信号を受信したか否かを判断する（ステップＳ４０３）。
【００７２】
ステップＳ４０３で、ＬＥＤ照明装置１０は、データアクセス許可信号を受信したと判断した場合（ステップＳ４０３：Ｙｅｓ）、データアクセス許可信号を携帯端末４０に送信する（ステップＳ４０４）。
【００７３】
一方、ステップＳ４０３で、ＬＥＤ照明装置１０は、データアクセス許可信号を受信していないと判断した場合（テップＳ４０３：Ｎｏ）、すなわち、データアクセス拒否信号を受信した場合、データアクセス拒否信号を携帯端末４０に送信する（ステップＳ４０５）。
【００７４】
ここで、パスワードの入力送信後の携帯端末４０は、データアクセス許可信号を受信したか否かを判断する（ステップＳ５０６）。
【００７５】
携帯端末４０は、データアクセス許可信号を受信した場合（ステップＳ５０６：Ｙｅｓ）、カメラ選択画面を表示する（ステップＳ５０７）。
【００７６】
一方、ステップＳ５０６で、携帯端末４０は、データアクセス許可信号を受信しない場合（ステップＳ５０６：Ｎｏ）、すなわち、データアクセス拒否信号を受信した場合、処理をステップＳ５０４のパスワード入力画面表示に戻し、再度のパスワードの入力を促す。
なお、パスワードの繰り返しの入力に対してデータアクセス拒否が多数回繰り返された場合、例えば、図１４（ｂ）に示すように、パスワードの再登録を促す画面Ｄ４を表示するとよい。
【００７７】
なお、携帯端末４０のステップＳ５０７からステップＳ５１０の処理と、それに対応したＬＥＤ照明装置１０のステップＳ４０６の処理は、実施例１に示した携帯端末４０のステップＳ２０４からステップＳ２０７の処理と、それに対応したＬＥＤ照明装置１０のステップＳ１０１の処理と同様であるためその説明を省略する。
【００７８】
本発明の実施例２に係るＬＥＤ照明システム５は、実施例１と同様の効果を奏するとともに、情報管理サーバーを設けることによって、撮像部が取得した撮像データへのアクセス権を顧客別に設定することが可能になるため、撮像データの悪用を防ぐことができる。
（変形例）
【００７９】
次に、図１５および図１６を用いて本発明の実施例２に係るＬＥＤ照明システムの変形例について説明する。
図１５は、本発明の実施例２に係るＬＥＤ照明システム５の変形例のＬＥＤ照明システム６の構成を模式的に示した図である。図１６は、ダミーカメラ搭載ＬＥＤ照明装置７０の直管状着脱自在部７１の斜視図であり、（ｂ）が（ａ）に示した直管状着脱自在部７１の付加機能部を模した部分を拡大した図である。
この変形例のＬＥＤ照明システム６は、ＬＥＤ照明装置１０の外観を模して撮像部２１を備えているように見せかけた照明装置であるダミーカメラ搭載ＬＥＤ照明装置７０を有する点で実施例２のＬＥＤ照明システム５と異なる。
なお、その他の構成は実施例２と同様であり、実施例２と同一構成部分には同一符号を付している。
【００８０】
この変形例のＬＥＤ照明システム６は、複数のＬＥＤ照明装置１０の中に、ダミーカメラ搭載ＬＥＤ照明装置７０を混在させるようにしている。
【００８１】
ダミーカメラ搭載ＬＥＤ照明装置７０は、レンズカバー２７をスモーク色とし、マイク部２２に対応したカバー部２６の開口２６ｂを網目状のシート７２等で塞ぐことによって内部構造を目視し難くなるようにしている。このため、ダミーカメラ搭載ＬＥＤ照明装置７０は、外観上、撮像部２１、あるいは、マイク部２２を備えているよう見せることができるようになっている。
【００８２】
なお、ＬＥＤ照明装置１０についても、ダミーカメラ搭載ＬＥＤ照明装置７０と同様にレンズカバー２７をスモーク色とし、マイク部２２に対応した開口２６ｂを網目状のシート７２等で塞ぐようにする。
これによって、外観上は、ＬＥＤ照明装置１０と、ダミーカメラ搭載ＬＥＤ照明装置７０との区別ができないようになっている。
【００８３】
ここで、この変形例のＬＥＤ照明システム６の作用について説明する。
図１３に示したフローチャートのステップＳ５０３で、携帯端末４０が周辺にカメラがあることを知らせる情報を画面４１に表示すると、携帯端末４０の使用者は、周辺にカメラがあることを認識する。
すると、犯罪を実行しようと考えている者は、周囲を見回し、カメラの位置を確認することが予想される。
このため、例えば、ＬＥＤ照明装置１０の通信可能エリアＡｒ内の周辺に多数のダミーカメラ搭載ＬＥＤ照明装置７０を設置しておくことによって、犯罪を実行しようと考えている者は、多数のカメラによって監視されていると思い込み、犯罪の実行をあきらめる可能性が高くなる。
【００８４】
なお、実施例２で説明したパスワードを、例えば、犯罪履歴のない者に対してのみ与えることによって、犯罪を行う可能性の高い者のアクセス権が制限し、ＬＥＤ照明装置１０とダミーカメラ搭載ＬＥＤ照明装置７０との区別を外観でしか行えないようにしておくようにしてもよい。
【００８５】
この変形例のＬＥＤ照明システム６は、ＬＥＤ照明装置１０とダミーカメラ搭載ＬＥＤ照明装置７０との区別を外観でしか行えないようにしているため、ＬＥＤ照明装置１０の通信可能エリアＡｒ内の周辺に多数のダミーカメラ搭載ＬＥＤ照明装置７０を設置しておくことによって、犯罪を実行しようと考えている者は、多数のカメラによって監視されていると思い込み、犯罪の実行をあきらめる可能性が高くなり、結果的に、犯罪の防止効果を高めることができる。
【００８６】
なお、この変形例のダミーカメラ搭載ＬＥＤ照明装置７０は、実施例２のＬＥＤ照明システム５に用いるものを例示したが、これに限らず、実施例１のＬＥＤ照明システム１に用いても構わない。
【００８７】
また、本発明の実施例１、２、および変形例に係るＬＥＤ照明システム１、２、３、４、５、６は、電車内の防犯目的に適用する例を示したが、適用例はこれに限定しない、すなわち、ＬＥＤ照明装置１０、５０、５１、５３の撮像部２１によって取得した撮像データの利用を促進したい目的であればその他の例にも適用することができる。例えば、イベント会場のような大勢の人が集まる場所に設置することによって、集客数の調査、あるいは、人の行動パターンの調査等にＬＥＤ照明装置１０、５０、５１、５３の撮像部２１によって取得した撮像データの利用を促進することができる。
【００８８】
また、本発明の実施例１、２、および変形例に係るＬＥＤ照明システム１、２、３、４、５、６は、ＬＥＤ照明装置１０、５０、５１、５２、５３の無線通信部２４が近距離通信に対応するものを例示したが、無線通信部２４による通信距離は、近距離に限らない。例えば、付加機能部２０、６０に、シムカード（Ｓｕｂｓｃｒｉｂｅｒ  Ｉｄｅｎｔｉｔｙ  Ｍｏｄｕｌｅ  Ｃａｒｄ）の不図示のソケットをさらに設け、そのソケットにシムカードをセットすることによって、ＬＥＤ照明装置１０、５０、５１、５２、５３の通信エリアを拡大するようにしても構わない。
また、ＬＥＤ照明システム１、２、３、４、５、６は、上述したように、シムカード等によってＬＥＤ照明装置１０、５０、５１、５２、５３の通信エリアを拡大しつつ、さらに、付加機能部２０、６０に、ＧＰＳ（Ｇｌｏｂａｌ  Ｐｏｓｉｔｉｏｎｉｎｇ  Ｓｙｓｔｅｍ）機能を追加することによって、ＬＥＤ照明装置１０、５０、５１、５２、５３の位置情報を利用したシステムを構築するようにしても構わない。
【００８９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００９０】
１、２、３、４、５、６  ＬＥＤ照明システム
１０、５０、５１、５２、５３  ＬＥＤ照明装置
１１、７１              直管状着脱自在部
１２                    直管状照明部
１２ａ                  直管状カバー
１３                    被保持部
１４                    フード部
２０、６０              付加機能部
２１                    撮像部
２１ａ                  レンズ
２１ｂ                  イメージセンサ
２２                    マイク部
２３                    記憶部
２４                    無線通信部
２５                    制御部
２５ａ                  データ送信制御部
２６                    カバー部
２６ａ、２６ｂ          開口
２７                    レンズカバー
２８                    ランプ部
３０、３１、３２        保持部
３１ａ                  開口
４０                    携帯端末
４１                    画面
５２ａ                  外装カバー
５２ｂ                  開口
７０                    ダミーカメラ搭載ＬＥＤ照明装置
７２                    網目状のシート
１００                  情報管理サーバー
１１０                  記憶部
１１０ａ                顧客登録情報
１２０                  制御部
１２０ａ                登録管理制御部
１３０                  無線中継器
【図１】
2017010725.tif 000003
【図２】
2017010725.tif 000004
【図３】
2017010725.tif 000005
【図４】
2017010725.tif 000006
【図５】
2017010725.tif 000007
【図６】
2017010725.tif 000008
【図７】
2017010725.tif 000009
【図８】
2017010725.tif 000010
【図９】
2017010725.tif 000011
【図１０】
2017010725.tif 000012
【図１１】
2017010725.tif 000013
【図１２】
2017010725.tif 000014
【図１３】
2017010725.tif 000015
【図１４】
2017010725.tif 000016
【図１５】
2017010725.tif 000017
【図１６】
2017010725.tif 000018
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
無線通信部、および、静止画あるいは動画を撮像する撮像部を含む付加機能部を備え、かつ、光源となるＬＥＤを光透過部分を含む直管状カバーの内部に設けたＬＥＤ照明装置と、該ＬＥＤ照明装置と前記無線通信部を介して無線通信可能な携帯端末と、を有するＬＥＤ照明装置システムであって、
前記無線通信部は、
無線通信を可能とするものであり、
前記携帯端末は、
前記無線通信部との通信可能エリア内に配置された場合、周囲にカメラがあることを知らせる情報を画面に表示する
ことを特徴とするＬＥＤ照明システム。
【請求項２】
前記付加機能部は、
音データを取得するマイク部
を有することを特徴とする請求項１に記載のＬＥＤ照明システム。
【請求項３】
前記付加機能部は、
前記直管状カバーに一体的に設ける
ことを特徴とする請求項１または２に記載のＬＥＤ照明システム。
【請求項４】
前記付加機能部は、
前記直管状カバーを保持する側に設ける
ことを特徴とする請求項１または２に記載のＬＥＤ照明システム。
【請求項５】
前記付加機能部は、
前記撮像部によって撮像した静止画データ、あるいは、動画データを保存する記憶部と、
前記無線通信部との通信可能エリア内の前記携帯端末から前記記憶部に保存した前記静止画データ、あるいは、前記動画データの送信要求信号を受信した場合、前記静止画データ、あるいは、前記動画データを前記携帯端末に送信するように制御するデータ送信制御部と、
を有することを特徴とする請求項１または２に記載のＬＥＤ照明システム。
【請求項６】
当該ＬＥＤ照明システムへの顧客別のアクセス権に関する顧客登録情報を管理する情報管理サーバーを有し、
前記ＬＥＤ照明装置は、
前記情報管理サーバーの前記顧客登録情報に基づいて、前記静止画データ、あるいは、前記動画データを登録した顧客の前記携帯端末にのみ送信可能とする
ことを特徴とする請求項５に記載のＬＥＤ照明システム。
【請求項７】
前記ＬＥＤ照明装置の外観を模して前記撮像部を備えているように見せかけた照明装置であるダミーカメラ搭載ＬＥＤ照明装置
を有することを特徴とする請求項１または２に記載のＬＥＤ照明システム。
【手続補正２】
【補正対象書類名】明細書
【補正対象項目名】００１１
【補正方法】変更
【補正の内容】
【００１１】
また、本発明に係るＬＥＤ照明システムは、上記の発明において、前記付加機能部は、前記撮像部によって撮像した静止画データ、あるいは、動画データを保存する記憶部と、前記無線通信部との通信可能エリア内の前記携帯端末から前記記憶部に保存した前記静止画データ、あるいは、前記動画データの送信要求信号を受信した場合、前記静止画データ、あるいは、前記動画データを前記携帯端末に送信するように制御するデータ送信制御部と、を有することを特徴とする。
【手続補正３】
【補正対象書類名】明細書
【補正対象項目名】００１２
【補正方法】変更
【補正の内容】
【００１２】
また、本発明に係るＬＥＤ照明システムは、上記の発明において、当該ＬＥＤ照明システムへの顧客別のアクセス権に関する顧客登録情報を管理する情報管理サーバーを有し、前記ＬＥＤ照明装置は、前記情報管理サーバーの前記顧客登録情報に基づいて、前記静止画データ、あるいは、前記動画データを登録した顧客の前記携帯端末にのみ送信可能とすることを特徴とする。